(57)【要約】【課題】安全性を確保しつつコンテンツ再生装置の利便性を向上させることができる車両制御システム、車両制御方法、および車両制御プログラムを提供することを目的の一つとする。【解決手段】車両の乗員の操作に基づくコンテンツを再生する一以上のコンテンツ再生部と、前記車両の速度制御と操舵制御とのうち少なくとも一方を自動的に行う自動運転を実行する自動運転制御部と、前記自動運転制御部により実行される自動運転の状態に基づいて前記コンテンツ再生部を制御し、前記コンテンツの再生が制限される場合、前記コンテンツ再生部における前記コンテンツの再生を停止し、その後、前記コンテンツの再生の制限が解除された場合、前記コンテンツ再生部における前記コンテンツの再生を自動的に再開する、再生制御部とを備える車両制御システム。【選択図】図２
2017214035.tif 000002
【特許請求の範囲】
【請求項１】
車両の乗員の操作に基づくコンテンツを再生する一以上のコンテンツ再生部と、
前記車両の速度制御と操舵制御とのうち少なくとも一方を自動的に行う自動運転を実行する自動運転制御部と、
前記自動運転制御部により実行される自動運転の状態に基づいて前記コンテンツ再生部を制御し、前記コンテンツの再生が制限される場合、前記コンテンツ再生部における前記コンテンツの再生を停止し、その後、前記コンテンツの再生の制限が解除された場合、前記コンテンツ再生部における前記コンテンツの再生を自動的に再開する、再生制御部と
を備える車両制御システム。
【請求項２】
前記再生制御部は、
前記自動運転の状態に基づいて前記コンテンツ再生部における前記コンテンツの再生を再開する場合、前記コンテンツの停止箇所から再生させる、
請求項１に記載の車両制御システム。
【請求項３】
前記コンテンツは、映像コンテンツを含む、
請求項１または２に記載の車両制御システム。
【請求項４】
前記コンテンツを記憶する記憶部をさらに備え、
前記再生制御部は、前記コンテンツ再生部における前記コンテンツの再生を停止する場合、停止期間において再生されるべきコンテンツを前記記憶部に記憶させ、前記コンテンツ再生部における前記コンテンツの再生を再開する場合、前記記憶部に記憶された前記コンテンツを読み出して再生させる、
請求項１から３の何れか一項に記載の車両制御システム。
【請求項５】
前記再生制御部は、前記コンテンツ再生部における前記コンテンツの再生を再開した後、前記コンテンツの前記記憶部への記憶と、過去に前記記憶部に記憶された前記コンテンツの読み出しおよび再生とを並行して行う、請求項４に記載の車両制御システム。
【請求項６】
前記コンテンツは、ブロードキャストにより配信されるコンテンツである、請求項４または５に記載の車両制御システム。
【請求項７】
前記コンテンツ再生部における前記コンテンツの再生を継続する指示を受け付ける操作受付部をさらに備え、
前記自動運転制御部は、自動運転の度合が異なる複数の運転モードのいずれかを実施し、前記操作受付部が前記コンテンツの再生を継続する指示を受け付けた場合、前記コンテンツの再生を制限しない運転モードを維持させる、
請求項１から６のいずれか一項に記載の車両制御システム。
【請求項８】
前記車両に搭乗した乗員を検出する検出部をさらに備え、
前記再生制御部は、前記検出部が前記車両の運転席に着座した乗員以外の他の乗員を検出した場合、前記コンテンツ再生部における前記コンテンツの再生の停止を行わない、
請求項１から７のいずれか一項に記載の車両制御システム。
【請求項９】
車両の速度制御と操舵制御とのうち少なくとも一方を自動的に行う自動運転を実行し、
実行される前記自動運転の状態に基づいて、前記車両の乗員の操作に基づくコンテンツの再生を制御し、前記コンテンツの再生が制限される場合、前記コンテンツの再生を停止し、その後、前記コンテンツの再生の制限が解除された場合、前記コンテンツの再生を自動的に再開する
車両制御方法。
【請求項１０】
車載コンピュータに、
車両の速度制御と操舵制御とのうち少なくとも一方を自動的に行う自動運転を実行し、
実行される前記自動運転の状態に基づいて、前記車両の乗員の操作に基づくコンテンツの再生を制御し、前記コンテンツの再生が制限される場合、前記コンテンツの再生を停止し、その後、前記コンテンツの再生の制限が解除された場合、前記コンテンツの再生を自動的に再開する処理を実行させる
車両制御プログラム。
【発明の詳細な説明】
【技術分野】
【０００１】
本発明は、車両制御システム、車両制御方法、および車両制御プログラムに関する。
【背景技術】
【０００２】
近年、ＤＶＤ（Digital Versatile Disc）再生装置、テレビジョン受信機等の各種コンテンツの再生を行うことが可能なコンテンツ再生装置を備えた車両が実現されている。これに関連して、テレビジョン映像の視聴等により運転を行う車両乗員の注意が散漫になることを防止するため、車両走行中には、コンテンツの再生を停止させる制御等を行う技術が存在する（例えば、特許文献１参照）。
【先行技術文献】
【特許文献】
【０００３】
【特許文献１】国際公開第２０１１／１５８３４７号
【発明の概要】
【発明が解決しようとする課題】
【０００４】
しかしながら、従来手法では、車両走行を開始する度にコンテンツの再生を停止させる制御が実行されるため、上記の制御が解除された際に車両乗員が再度コンテンツ再生装置を操作する必要があった。例えば、車両の加減速および操舵のうち一方または双方を自動的に制御する技術（以下、「自動運転」という）を実現した車両においては、車両走行中においても所望の安全性が確保されているためコンテンツの再生が許容される場合もあるが、このような車両にも上記の再生停止の制御が行われることが想定され、その場合、コンテンツ再生装置の利便性が損なわれる場合がある。
【０００５】
本発明は、このような事情を考慮してなされたものであり、安全性を確保しつつコンテンツ再生装置の利便性を向上させることができる車両制御システム、車両制御方法、および車両制御プログラムを提供することを目的の一つとする。
【課題を解決するための手段】
【０００６】
請求項１に記載の発明は、車両の乗員の操作に基づくコンテンツを再生する一以上のコンテンツ再生部と、前記車両の速度制御と操舵制御とのうち少なくとも一方を自動的に行う自動運転を実行する自動運転制御部と、前記自動運転制御部により実行される自動運転の状態に基づいて前記コンテンツ再生部を制御し、前記コンテンツの再生が制限される場合、前記コンテンツ再生部における前記コンテンツの再生を停止し、その後、前記コンテンツの再生の制限が解除された場合、前記コンテンツ再生部における前記コンテンツの再生を自動的に再開する、再生制御部とを備える車両制御システムである。
【０００７】
請求項２に記載の発明は、請求項１に記載の発明において、前記再生制御部は、前記自動運転の状態に基づいて前記コンテンツ再生部における前記コンテンツの再生を再開する場合、前記コンテンツの停止箇所から再生させるものである。
【０００８】
請求項３に記載の発明は、請求項１または２に記載の発明において、前記コンテンツは、映像コンテンツを含むものである。
【０００９】
請求項４に記載の発明は、請求項１から３の何れか一項に記載の発明において、前記コンテンツを記憶する記憶部をさらに備え、前記再生制御部は、前記コンテンツ再生部における前記コンテンツの再生を停止する場合、停止期間において再生されるべきコンテンツを前記記憶部に記憶させ、前記コンテンツ再生部における前記コンテンツの再生を再開する場合、前記記憶部に記憶された前記コンテンツを読み出して再生させるものである。
【００１０】
請求項５に記載の発明は、請求項４に記載の発明において、前記再生制御部は、前記コンテンツ再生部における前記コンテンツの再生を再開した後、前記コンテンツの前記記憶部への記憶と、過去に前記記憶部に記憶された前記コンテンツの読み出しおよび再生とを並行して行うものである。
【００１１】
請求項６に記載の発明は、請求項４または５に記載の発明において、前記コンテンツは、ブロードキャストにより配信されるコンテンツであるものである。
【００１２】
請求項７に記載の発明は、請求項１から６のいずれか一項に記載の発明において、前記コンテンツ再生部における前記コンテンツの再生を継続する指示を受け付ける操作受付部をさらに備え、前記自動運転制御部は、自動運転の度合が異なる複数の運転モードのいずれかを実施し、前記操作受付部が前記コンテンツの再生を継続する指示を受け付けた場合、前記コンテンツの再生を制限しない運転モードを維持させるものである。
【００１３】
請求項８に記載の発明は、請求項１から７のいずれか一項に記載の発明において、前記車両に搭乗した乗員を検出する検出部をさらに備え、前記再生制御部は、前記検出部が前記車両の運転席に着座した乗員以外の他の乗員を検出した場合、前記コンテンツ再生部における前記コンテンツの再生の停止を行わないものである。
【００１４】
請求項９に記載の発明は、車両の速度制御と操舵制御とのうち少なくとも一方を自動的に行う自動運転を実行し、実行される前記自動運転の状態に基づいて、前記車両の乗員の操作に基づくコンテンツの再生を制御し、前記コンテンツの再生が制限される場合、前記コンテンツの再生を停止し、その後、前記コンテンツの再生の制限が解除された場合、前記コンテンツの再生を自動的に再開する車両制御方法である。
【００１５】
請求項１０に記載の発明は、車載コンピュータに、車両の速度制御と操舵制御とのうち少なくとも一方を自動的に行う自動運転を実行し、実行される前記自動運転の状態に基づいて、前記車両の乗員の操作に基づくコンテンツの再生を制御し、前記コンテンツの再生が制限される場合、前記コンテンツの再生を停止し、その後、前記コンテンツの再生の制限が解除された場合、前記コンテンツの再生を自動的に再開する処理を実行させる車両制御プログラムである。
【発明の効果】
【００１６】
請求項１から３、９、１０に記載の発明によれば、車両乗員は、コンテンツの再生を再開させる際にコンテンツ再生装置を操作する必要がない。これにより、自動運転を実行する場合における安全性を確保しつつコンテンツ再生装置の利便性を向上させることができる。
【００１７】
請求項４から６に記載の発明によれば、車両乗員は、停止期間中において再生されるべきコンテンツを後に視聴することができる。これにより、自動運転を実行する場合における安全性を確保しつつコンテンツ再生装置の利便性を向上させることができる。
【００１８】
請求項７に記載の発明によれば、車両乗員は、コンテンツの視聴を継続することができる。これにより、自動運転を実行する場合における安全性を確保しつつコンテンツ再生装置の利便性をさらに向上させることができる。
【００１９】
請求項８に記載の発明によれば、コンテンツ再生装置の利便性をさらに向上させることができる。
【図面の簡単な説明】
【００２０】
【図１】自車両Ｍの構成要素を示す図である。
【図２】第１の実施形態における車両制御システム１００を中心とした機能構成図である。自車両Ｍの機能構成図である。
【図３】第１の実施形態におけるＨＭＩ７０の構成図である。
【図４】第１の実施形態における自車位置認識部１４０により走行車線Ｌ１に対する自車両Ｍの相対位置が認識される様子を示す図である。
【図５】第１の実施形態におけるある区間について生成された行動計画の一例を示す図である。
【図６】第１の実施形態における軌道生成部１４６の構成の一例を示す図である。
【図７】第１の実施形態における軌道候補生成部１４６Ｂにより生成される軌道の候補の一例を示す図である。
【図８】第１の実施形態における軌道候補生成部１４６Ｂにより生成される軌道の候補を軌道点Ｋで表現した図である。
【図９】第１の実施形態における車線変更ターゲット位置ＴＡを示す図である。
【図１０】第１の実施形態における３台の周辺車両の速度を一定と仮定した場合の速度生成モデルを示す図である。
【図１１】第１の実施形態におけるモード別操作可否情報１８８の一例を示す図である。
【図１２】第１の実施形態における、コンテンツの再生制御処理の一例を示すフローチャートである。
【図１３】第１の実施形態における表示装置８２の画面制御の一例を示す図である。
【図１４】第２の実施形態における、コンテンツの再生制御処理の一例を示すフローチャートである。
【図１５】第２の実施形態における表示装置８２の画面制御の一例を示す図である。
【図１６】第２の実施形態におけるブロードキャストにより配信されるコンテンツと、表示装置８２において再生されるコンテンツとの関係を示す図である。
【図１７】第３の実施形態における、コンテンツの再生制御処理の一例を示すフローチャートである。
【図１８】第３の実施形態における表示装置８２の画面制御の一例を示す図である。
【発明を実施するための形態】
【００２１】
以下、図面を参照し、本発明の車両制御システム、車両制御方法、および車両制御プログラムの実施形態について説明する。
＜共通構成＞
図１は、各実施形態の車両制御システム１００が搭載される車両（以下、自車両Ｍと称する）の構成要素を示す図である。車両制御システム１００が搭載される車両は、例えば、二輪や三輪、四輪等の自動車であり、ディーゼルエンジンやガソリンエンジン等の内燃機関を動力源とした自動車や、電動機を動力源とした電気自動車、内燃機関および電動機を兼ね備えたハイブリッド自動車等を含む。電気自動車は、例えば、二次電池、水素燃料電池、金属燃料電池、アルコール燃料電池等の電池により放電される電力を使用して駆動される。
【００２２】
図１に示すように、自車両Ｍには、ファインダ２０−１から２０−７、レーダ３０−１から３０−６、およびカメラ４０等のセンサと、ナビゲーション装置５０と、車両制御システム１００とが搭載される。
【００２３】
ファインダ２０−１から２０−７は、例えば、照射光に対する散乱光を測定し、対象までの距離を測定するＬＩＤＡＲ（Light Detection and Ranging、或いはLaser Imaging Detection and Ranging）である。例えば、ファインダ２０−１は、フロントグリル等に取り付けられ、ファインダ２０−２および２０−３は、車体の側面やドアミラー、前照灯内部、側方灯付近等に取り付けられる。ファインダ２０−４は、トランクリッド等に取り付けられ、ファインダ２０−５および２０−６は、車体の側面や尾灯内部等に取り付けられる。上述したファインダ２０−１から２０−６は、例えば、水平方向に関して１５０度程度の検出領域を有している。また、ファインダ２０−７は、ルーフ等に取り付けられる。ファインダ２０−７は、例えば、水平方向に関して３６０度の検出領域を有している。
【００２４】
レーダ３０−１および３０−４は、例えば、奥行き方向の検出領域が他のレーダよりも広い長距離ミリ波レーダである。また、レーダ３０−２、３０−３、３０−５、３０−６は、レーダ３０−１および３０−４よりも奥行き方向の検出領域が狭い中距離ミリ波レーダである。
【００２５】
以下、ファインダ２０−１から２０−７を特段区別しない場合は、単に「ファインダ２０」と記載し、レーダ３０−１から３０−６を特段区別しない場合は、単に「レーダ３０」と記載する。レーダ３０は、例えば、ＦＭ−ＣＷ（Frequency Modulated Continuous Wave）方式によって物体を検出する。
【００２６】
カメラ４０は、例えば、ＣＣＤ（Charge Coupled Device）やＣＭＯＳ（Complementary Metal Oxide Semiconductor）等の固体撮像素子を利用したデジタルカメラである。カメラ４０は、フロントウインドシールド上部やルームミラー裏面等に取り付けられる。カメラ４０は、例えば、周期的に繰り返し自車両Ｍの前方を撮像する。カメラ４０は、複数のカメラを含むステレオカメラであってもよい。
【００２７】
なお、図１に示す構成はあくまで一例であり、構成の一部が省略されてもよいし、更に別の構成が追加されてもよい。
【００２８】
＜第１の実施形態＞
図２は、第１の実施形態に係る車両制御システム１００を中心とした機能構成図である。自車両Ｍには、ファインダ２０、レーダ３０、およびカメラ４０などを含む検知デバイスＤＤと、ナビゲーション装置５０と、通信装置５５と、車両センサ６０と、ＨＭＩ（Human Machine Interface）７０と、車両制御システム１００と、走行駆動力出力装置２００と、ステアリング装置２１０と、ブレーキ装置２２０とが搭載される。これらの装置や機器は、ＣＡＮ（Controller Area Network）通信線等の多重通信線やシリアル通信線、無線通信網等によって互いに接続される。なお、特許請求の範囲における車両制御システムは、「車両制御システム１００」のみを指しているのではなく、車両制御システム１００以外の構成（検知部デバイスＤＤやＨＭＩ７０など）を含んでもよい。
【００２９】
ナビゲーション装置５０は、ＧＮＳＳ（Global Navigation Satellite System）受信機や地図情報（ナビ地図）、ユーザインターフェースとして機能するタッチパネル式表示装置、スピーカ、マイク等を有する。ナビゲーション装置５０は、ＧＮＳＳ受信機によって自車両Ｍの位置を特定し、その位置からユーザによって指定された目的地までの経路を導出する。ナビゲーション装置５０により導出された経路は、車両制御システム１００の目標車線決定部１１０に提供される。自車両Ｍの位置は、車両センサ６０の出力を利用したＩＮＳ（Inertial Navigation System）によって特定または補完されてもよい。また、ナビゲーション装置５０は、車両制御システム１００が手動運転モードを実行している際に、目的地に至る経路について音声やナビ表示によって案内を行う。なお、自車両Ｍの位置を特定するための構成は、ナビゲーション装置５０とは独立して設けられてもよい。また、ナビゲーション装置５０は、例えば、ユーザの保有するスマートフォンやタブレット端末等の端末装置の機能によって実現されてもよい。この場合、端末装置と車両制御システム１００との間で、無線または有線による通信によって情報の送受信が行われる。
【００３０】
通信装置５５は、例えば、セルラー網やＷｉ−Ｆｉ網、Ｂｌｕｅｔｏｏｔｈ（登録商標）、ＤＳＲＣ（Dedicated Short Range Communication）などを利用した無線通信を行う。
【００３１】
車両センサ６０は、車速を検出する車速センサ、加速度を検出する加速度センサ、鉛直軸回りの角速度を検出するヨーレートセンサ、自車両Ｍの向きを検出する方位センサ等を含む。
【００３２】
図３は、ＨＭＩ７０の構成図である。ＨＭＩ７０は、例えば、運転操作系の構成と、非運転操作系の構成とを備える。これらの境界は明確なものでは無く、運転操作系の構成が非運転操作系の機能を備えること（或いはその逆）があってもよい。
【００３３】
ＨＭＩ７０は、運転操作系の構成として、例えば、アクセルペダル７１、アクセル開度センサ７２およびアクセルペダル反力出力装置７３と、ブレーキペダル７４およびブレーキ踏量センサ（或いはマスター圧センサなど）７５と、シフトレバー７６およびシフト位置センサ７７と、ステアリングホイール７８、ステアリング操舵角センサ７９およびステアリングトルクセンサ８０と、その他運転操作デバイス８１とを含む。
【００３４】
アクセルペダル７１は、車両乗員による加速指示（或いは戻し操作による減速指示）を受け付けるための操作子である。アクセル開度センサ７２は、アクセルペダル７１の踏み込み量を検出し、踏み込み量を示すアクセル開度信号を車両制御システム１００に出力する。なお、車両制御システム１００に出力するのに代えて、走行駆動力出力装置２００、ステアリング装置２１０、またはブレーキ装置２２０に直接出力することがあってもよい。以下に説明する他の運転操作系の構成についても同様である。アクセルペダル反力出力装置７３は、例えば車両制御システム１００からの指示に応じて、アクセルペダル７１に対して操作方向と反対向きの力（操作反力）を出力する。
【００３５】
ブレーキペダル７４は、車両乗員による減速指示を受け付けるための操作子である。ブレーキ踏量センサ７５は、ブレーキペダル７４の踏み込み量（或いは踏み込み力）を検出し、検出結果を示すブレーキ信号を車両制御システム１００に出力する。
【００３６】
シフトレバー７６は、車両乗員によるシフト段の変更指示を受け付けるための操作子である。シフト位置センサ７７は、車両乗員により指示されたシフト段を検出し、検出結果を示すシフト位置信号を車両制御システム１００に出力する。
【００３７】
ステアリングホイール７８は、車両乗員による旋回指示を受け付けるための操作子である。ステアリング操舵角センサ７９は、ステアリングホイール７８の操作角を検出し、検出結果を示すステアリング操舵角信号を車両制御システム１００に出力する。ステアリングトルクセンサ８０は、ステアリングホイール７８に加えられたトルクを検出し、検出結果を示すステアリングトルク信号を車両制御システム１００に出力する。
【００３８】
その他運転操作デバイス８１は、例えば、ジョイスティック、ボタン、ダイヤルスイッチ、ＧＵＩ（Graphical User Interface）スイッチなどである。その他運転操作デバイス８１は、加速指示、減速指示、旋回指示などを受け付け、車両制御システム１００に出力する。
【００３９】
ＨＭＩ７０は、非運転操作系の構成として、例えば、表示装置（コンテンツ再生部）８２、スピーカ８３、接触操作検出装置８４およびコンテンツ再生装置８５と、各種操作スイッチ８６と、シート８８およびシート駆動装置８９と、ウインドウガラス９０およびウインドウ駆動装置９１と、車室内カメラ９５とを含む。
【００４０】
表示装置８２は、例えば、インストルメントパネルの各部、助手席や後部座席に対向する任意の箇所などに取り付けられる、ＬＣＤ（Liquid Crystal Display）や有機ＥＬ（Electroluminescence）表示装置などである。また、表示装置８２は、フロントウインドシールドやその他のウインドウに画像を投影するＨＵＤ（Head Up Display）であってもよい。スピーカ８３は、音声を出力する。接触操作検出装置８４は、表示装置８２がタッチパネルである場合に、表示装置８２の表示画面における接触位置（タッチ位置）を検出して、車両制御システム１００に出力する。なお、表示装置８２がタッチパネルでない場合、接触操作検出装置８４は省略されてよい。
【００４１】
コンテンツ再生装置８５は、例えば、ＤＶＤ（Digital Versatile Disc）再生装置、ＣＤ（Compact Disc）再生装置、テレビジョン受信機、各種案内画像の生成装置などを含む。表示装置８２、スピーカ８３、接触操作検出装置８４およびコンテンツ再生装置８５は、一部または全部がナビゲーション装置５０と共通する構成であってもよい。
【００４２】
各種操作スイッチ８６は、車室内の任意の箇所に配置される。各種操作スイッチ８６には、自動運転の開始（或いは将来の開始）および停止を指示する自動運転切替スイッチ８７を含む。自動運転切替スイッチ８７は、ＧＵＩ（Graphical User Interface）スイッチ、機械式スイッチのいずれであってもよい。また、各種操作スイッチ８６は、シート駆動装置８９やウインドウ駆動装置９１を駆動するためのスイッチを含んでもよい。
【００４３】
シート８８は、車両乗員が着座するシートである。シート駆動装置８９は、シート８８のリクライニング角、前後方向位置、ヨー角などを自在に駆動する。ウインドウガラス９０は、例えば各ドアに設けられる。ウインドウ駆動装置９１は、ウインドウガラス９０を開閉駆動する。
【００４４】
車室内カメラ９５は、ＣＣＤやＣＭＯＳ等の固体撮像素子を利用したデジタルカメラである。車室内カメラ９５は、バックミラーやステアリングボス部、インストルメントパネルなど、運転操作を行う車両乗員の少なくとも頭部を撮像可能な位置に取り付けられる。カメラ４０は、例えば、周期的に繰り返し車両乗員を撮像する。
【００４５】
車両制御システム１００の説明に先立って、走行駆動力出力装置２００、ステアリング装置２１０、およびブレーキ装置２２０について説明する。
【００４６】
走行駆動力出力装置２００は、車両が走行するための走行駆動力（トルク）を駆動輪に出力する。走行駆動力出力装置２００は、例えば、自車両Ｍが内燃機関を動力源とした自動車である場合、エンジン、変速機、およびエンジンを制御するエンジンＥＣＵ（Electronic Control Unit）を備え、自車両Ｍが電動機を動力源とした電気自動車である場合、走行用モータおよび走行用モータを制御するモータＥＣＵを備え、自車両Ｍがハイブリッド自動車である場合、エンジン、変速機、およびエンジンＥＣＵと走行用モータおよびモータＥＣＵとを備える。走行駆動力出力装置２００がエンジンのみを含む場合、エンジンＥＣＵは、後述する走行制御部１６０から入力される情報に従って、エンジンのスロットル開度やシフト段等を調整する。走行駆動力出力装置２００が走行用モータのみを含む場合、モータＥＣＵは、走行制御部１６０から入力される情報に従って、走行用モータに与えるＰＷＭ信号のデューティ比を調整する。走行駆動力出力装置２００がエンジンおよび走行用モータを含む場合、エンジンＥＣＵおよびモータＥＣＵは、走行制御部１６０から入力される情報に従って、互いに協調して走行駆動力を制御する。
【００４７】
ステアリング装置２１０は、例えば、ステアリングＥＣＵと、電動モータとを備える。電動モータは、例えば、ラックアンドピニオン機構に力を作用させて転舵輪の向きを変更する。ステアリングＥＣＵは、車両制御システム１００から入力される情報、或いは入力されるステアリング操舵角またはステアリングトルクの情報に従って電動モータを駆動し、転舵輪の向きを変更させる。
【００４８】
ブレーキ装置２２０は、例えば、ブレーキキャリパーと、ブレーキキャリパーに油圧を伝達するシリンダと、シリンダに油圧を発生させる電動モータと、制動制御部とを備える電動サーボブレーキ装置である。電動サーボブレーキ装置の制動制御部は、走行制御部１６０から入力される情報に従って電動モータを制御し、制動操作に応じたブレーキトルクが各車輪に出力されるようにする。電動サーボブレーキ装置は、ブレーキペダルの操作によって発生させた油圧を、マスターシリンダを介してシリンダに伝達する機構をバックアップとして備えてよい。なお、ブレーキ装置２２０は、上記説明した電動サーボブレーキ装置に限らず、電子制御式油圧ブレーキ装置であってもよい。電子制御式油圧ブレーキ装置は、走行制御部１６０から入力される情報に従ってアクチュエータを制御して、マスターシリンダの油圧をシリンダに伝達する。また、ブレーキ装置２２０は、走行駆動力出力装置２００に含まれ得る走行用モータによる回生ブレーキを含んでもよい。
【００４９】
［車両制御システム］
以下、車両制御システム１００について説明する。車両制御システム１００は、例えば、一以上のプロセッサまたは同等の機能を有するハードウェアにより実現される。車両制御システム１００は、ＣＰＵ（Central Processing Unit）などのプロセッサ、記憶装置、および通信インターフェースが内部バスによって接続されたＥＣＵ（Electronic Control Unit）、或いはＭＰＵ（Micro-Processing Unit）などが組み合わされた構成であってよい。
【００５０】
図２に戻り、車両制御システム１００は、例えば、目標車線決定部１１０と、自動運転制御部１２０と、走行制御部１６０と、ＨＭＩ制御部１７０と、記憶部１８０とを備える。自動運転制御部１２０は、例えば、自動運転モード制御部１３０と、自車位置認識部１４０と、外界認識部１４２と、行動計画生成部１４４と、軌道生成部１４６と、切替制御部１５０とを備える。目標車線決定部１１０、自動運転制御部１２０の各部、および走行制御部１６０のうち一部または全部は、プロセッサがプログラム（ソフトウェア）を実行することにより実現される。また、これらのうち一部または全部は、ＬＳＩ（Large Scale Integration）やＡＳＩＣ（Application Specific Integrated Circuit）等のハードウェアによって実現されてもよいし、ソフトウェアとハードウェアの組み合わせによって実現されてもよい。
【００５１】
記憶部１８０には、例えば、高精度地図情報１８２、目標車線情報１８４、行動計画情報１８６、モード別操作可否情報１８８、コンテンツ情報１８９などの情報が格納される。記憶部１８０は、ＲＯＭ（Read Only Memory）やＲＡＭ（Random Access Memory）、ＨＤＤ（Hard Disk Drive）、フラッシュメモリ等で実現される。プロセッサが実行するプログラムは、予め記憶部１８０に格納されていてもよいし、車載インターネット設備等を介して外部装置からダウンロードされてもよい。また、プログラムは、そのプログラムを格納した可搬型記憶媒体が図示しないドライブ装置に装着されることで記憶部１８０にインストールされてもよい。また、車両制御システム１００の車載コンピュータは、複数のコンピュータ装置によって分散化されたものであってもよい。
【００５２】
目標車線決定部１１０は、例えば、ＭＰＵにより実現される。目標車線決定部１１０は、ナビゲーション装置５０から提供された経路を複数のブロックに分割し（例えば、車両進行方向に関して１００［ｍ］毎に分割し）、高精度地図情報１８２を参照してブロックごとに目標車線を決定する。目標車線決定部１１０は、例えば、左から何番目の車線を走行するといった決定を行う。目標車線決定部１１０は、例えば、経路において分岐箇所や合流箇所などが存在する場合、自車両Ｍが、分岐先に進行するための合理的な走行経路を走行できるように、目標車線を決定する。目標車線決定部１１０により決定された目標車線は、目標車線情報１８４として記憶部１８０に記憶される。
【００５３】
高精度地図情報１８２は、ナビゲーション装置５０が有するナビ地図よりも高精度な地図情報である。高精度地図情報１８２は、例えば、車線の中央の情報あるいは車線の境界の情報等を含んでいる。また、高精度地図情報１８２には、道路情報、交通規制情報、住所情報（住所・郵便番号）、施設情報、電話番号情報などが含まれてよい。道路情報には、高速道路、有料道路、国道、都道府県道といった道路の種別を表す情報や、道路の車線数、各車線の幅員、道路の勾配、道路の位置（経度、緯度、高さを含む３次元座標）、車線のカーブの曲率、車線の合流および分岐ポイントの位置、道路に設けられた標識等の情報が含まれる。交通規制情報には、工事や交通事故、渋滞等によって車線が封鎖されているといった情報が含まれる。
【００５４】
自動運転モード制御部１３０は、自動運転制御部１２０が実施する自動運転のモードを決定する。本実施形態における自動運転のモードには、以下のモードが含まれる。なお、以下はあくまで一例であり、自動運転のモード数は任意に決定されてよい。
［モードＡ］
モードＡは、最も自動運転の度合が高いモードである。モードＡが実施されている場合、複雑な合流制御など、全ての車両制御が自動的に行われるため、車両乗員は自車両Ｍの周辺や状態を監視する必要が無い。
［モードＢ］
モードＢは、モードＡの次に自動運転の度合が高いモードである。モードＢが実施されている場合、原則として全ての車両制御が自動的に行われるが、場面に応じて自車両Ｍの運転操作が車両乗員に委ねられる。このため、車両乗員は自車両Ｍの周辺や状態を監視している必要がある。
［モードＣ］
モードＣは、モードＢの次に自動運転の度合が高いモードである。モードＣが実施されている場合、車両乗員は、場面に応じた確認操作をＨＭＩ７０に対して行う必要がある。モードＣでは、例えば、車線変更のタイミングが車両乗員に通知され、車両乗員がＨＭＩ７０に対して車線変更を指示する操作を行った場合に、自動的な車線変更が行われる。このため、車両乗員は自車両Ｍの周辺や状態を監視している必要がある。
【００５５】
自動運転モード制御部１３０は、ＨＭＩ７０に対する車両乗員の操作、行動計画生成部１４４により決定されたイベント、軌道生成部１４６により決定された走行態様などに基づいて、自動運転のモードを決定する。自動運転のモードは、ＨＭＩ制御部１７０に通知される。また、自動運転のモードには、自車両Ｍの検知デバイスＤＤの性能等に応じた限界が設定されてもよい。例えば、検知デバイスＤＤの性能が低い場合には、モードＡは実施されないものとしてよい。いずれのモードにおいても、ＨＭＩ７０における運転操作系の構成に対する操作によって、手動運転モードに切り替えること（オーバーライド）は可能である。
【００５６】
自動運転制御部１２０の自車位置認識部１４０は、記憶部１８０に格納された高精度地図情報１８２と、ファインダ２０、レーダ３０、カメラ４０、ナビゲーション装置５０、または車両センサ６０から入力される情報とに基づいて、自車両Ｍが走行している車線（走行車線）、および、走行車線に対する自車両Ｍの相対位置を認識する。
【００５７】
自車位置認識部１４０は、例えば、高精度地図情報１８２から認識される道路区画線のパターン（例えば実線と破線の配列）と、カメラ４０によって撮像された画像から認識される自車両Ｍの周辺の道路区画線のパターンとを比較することで、走行車線を認識する。この認識において、ナビゲーション装置５０から取得される自車両Ｍの位置やＩＮＳによる処理結果が加味されてもよい。
【００５８】
図４は、自車位置認識部１４０により走行車線Ｌ１に対する自車両Ｍの相対位置が認識される様子を示す図である。自車位置認識部１４０は、例えば、自車両Ｍの基準点（例えば重心）の走行車線中央ＣＬからの乖離ＯＳ、および自車両Ｍの進行方向の走行車線中央ＣＬを連ねた線に対してなす角度θを、走行車線Ｌ１に対する自車両Ｍの相対位置として認識する。なお、これに代えて、自車位置認識部１４０は、走行車線Ｌ１のいずれかの側端部に対する自車両Ｍの基準点の位置などを、走行車線に対する自車両Ｍの相対位置として認識してもよい。自車位置認識部１４０により認識される自車両Ｍの相対位置は、目標車線決定部１１０に提供される。
【００５９】
外界認識部１４２は、ファインダ２０、レーダ３０、カメラ４０等から入力される情報に基づいて、周辺車両の位置、および速度、加速度等の状態を認識する。周辺車両とは、例えば、自車両Ｍの周辺を走行する車両であって、自車両Ｍと同じ方向に走行する車両である。周辺車両の位置は、他車両の重心やコーナー等の代表点で表されてもよいし、他車両の輪郭で表現された領域で表されてもよい。周辺車両の「状態」とは、上記各種機器の情報に基づいて把握される、周辺車両の加速度、車線変更をしているか否か（あるいは車線変更をしようとしているか否か）を含んでもよい。また、外界認識部１４２は、周辺車両に加えて、ガードレールや電柱、駐車車両、歩行者その他の物体の位置を認識してもよい。
【００６０】
行動計画生成部１４４は、自動運転のスタート地点、および／または自動運転の目的地を設定する。自動運転のスタート地点は、自車両Ｍの現在位置であってもよいし、自動運転を指示する操作がなされた地点でもよい。行動計画生成部１４４は、そのスタート地点と自動運転の目的地との間の区間において、行動計画を生成する。なお、これに限らず、行動計画生成部１４４は、任意の区間について行動計画を生成してもよい。
【００６１】
行動計画は、例えば、順次実行される複数のイベントで構成される。イベントには、例えば、自車両Ｍを減速させる減速イベントや、自車両Ｍを加速させる加速イベント、走行車線を逸脱しないように自車両Ｍを走行させるレーンキープイベント、走行車線を変更させる車線変更イベント、自車両Ｍに前走車両を追い越させる追い越しイベント、分岐ポイントにおいて所望の車線に変更させたり、現在の走行車線を逸脱しないように自車両Ｍを走行させたりする分岐イベント、本線に合流するための合流車線において自車両Ｍを加減速させ、走行車線を変更させる合流イベント、自動運転の開始地点で手動運転モードから自動運転モードに移行させたり、自動運転の終了予定地点で自動運転モードから手動運転モードに移行させたりするハンドオーバイベント等が含まれる。行動計画生成部１４４は、目標車線決定部１１０により決定された目標車線が切り替わる箇所において、車線変更イベント、分岐イベント、または合流イベントを設定する。行動計画生成部１４４によって生成された行動計画を示す情報は、行動計画情報１８６として記憶部１８０に格納される。
【００６２】
図５は、ある区間について生成された行動計画の一例を示す図である。図示するように、行動計画生成部１４４は、目標車線情報１８４が示す目標車線上を自車両Ｍが走行するために必要な行動計画を生成する。なお、行動計画生成部１４４は、自車両Ｍの状況変化に応じて、目標車線情報１８４に拘わらず、動的に行動計画を変更してもよい。例えば、行動計画生成部１４４は、車両走行中に外界認識部１４２によって認識された周辺車両の速度が閾値を超えたり、自車線に隣接する車線を走行する周辺車両の移動方向が自車線方向に向いたりした場合に、自車両Ｍが走行予定の運転区間に設定されたイベントを変更する。例えば、レーンキープイベントの後に車線変更イベントが実行されるようにイベントが設定されている場合において、外界認識部１４２の認識結果によって当該レーンキープイベント中に車線変更先の車線後方から車両が閾値以上の速度で進行してきたことが判明した場合、行動計画生成部１４４は、レーンキープイベントの次のイベントを、車線変更イベントから減速イベントやレーンキープイベント等に変更してよい。この結果、車両制御システム１００は、外界の状態に変化が生じた場合においても、安全に自車両Ｍを自動走行させることができる。
【００６３】
図６は、軌道生成部１４６の構成の一例を示す図である。軌道生成部１４６は、例えば、走行態様決定部１４６Ａと、軌道候補生成部１４６Ｂと、評価・選択部１４６Ｃとを備える。
【００６４】
走行態様決定部１４６Ａは、例えば、レーンキープイベントを実施する際に、定速走行、追従走行、低速追従走行、減速走行、カーブ走行、障害物回避走行などのうちいずれかの走行態様を決定する。この場合、走行態様決定部１４６Ａは、自車両Ｍの前方に他車両が存在しない場合に、走行態様を定速走行に決定する。また、走行態様決定部１４６Ａは、前走車両に対して追従走行するような場合に、走行態様を追従走行に決定する。また、走行態様決定部１４６Ａは、渋滞場面などにおいて、走行態様を低速追従走行に決定する。また、走行態様決定部１４６Ａは、外界認識部１４２により前走車両の減速が認識された場合や、停車や駐車などのイベントを実施する場合に、走行態様を減速走行に決定する。また、走行態様決定部１４６Ａは、外界認識部１４２により自車両Ｍがカーブ路に差し掛かったことが認識された場合に、走行態様をカーブ走行に決定する。また、走行態様決定部１４６Ａは、外界認識部１４２により自車両Ｍの前方に障害物が認識された場合に、走行態様を障害物回避走行に決定する。また、走行態様決定部１４６Ａは、車線変更イベント、追い越しイベント、分岐イベント、合流イベント、ハンドオーバイベントなどを実施する場合に、それぞれのイベントに応じた走行態様を決定する。
【００６５】
軌道候補生成部１４６Ｂは、走行態様決定部１４６Ａにより決定された走行態様に基づいて、軌道の候補を生成する。図７は、軌道候補生成部１４６Ｂにより生成される軌道の候補の一例を示す図である。図７は、自車両Ｍが車線Ｌ１から車線Ｌ２に車線変更する場合に生成される軌道の候補を示している。
【００６６】
軌道候補生成部１４６Ｂは、図７に示すような軌道を、例えば、将来の所定時間ごとに、自車両Ｍの基準位置（例えば重心や後輪軸中心）が到達すべき目標位置（軌道点Ｋ）の集まりとして決定する。図８は、軌道候補生成部１４６Ｂにより生成される軌道の候補を軌道点Ｋで表現した図である。軌道点Ｋの間隔が広いほど、自車両Ｍの速度は速くなり、軌道点Ｋの間隔が狭いほど、自車両Ｍの速度は遅くなる。従って、軌道候補生成部１４６Ｂは、加速したい場合には軌道点Ｋの間隔を徐々に広くし、減速したい場合は軌道点の間隔を徐々に狭くする。
【００６７】
このように、軌道点Ｋは速度成分を含むものであるため、軌道候補生成部１４６Ｂは、軌道点Ｋのそれぞれに対して目標速度を与える必要がある。目標速度は、走行態様決定部１４６Ａにより決定された走行態様に応じて決定される。
【００６８】
ここで、車線変更（分岐を含む）を行う場合の目標速度の決定手法について説明する。軌道候補生成部１４６Ｂは、まず、車線変更ターゲット位置（或いは合流ターゲット位置）を設定する。車線変更ターゲット位置は、周辺車両との相対位置として設定されるものであり、「どの周辺車両の間に車線変更するか」を決定するものである。軌道候補生成部１４６Ｂは、車線変更ターゲット位置を基準として３台の周辺車両に着目し、車線変更を行う場合の目標速度を決定する。図９は、車線変更ターゲット位置ＴＡを示す図である。図中、Ｌ１は自車線を表し、Ｌ２は隣接車線を表している。ここで、自車両Ｍと同じ車線で、自車両Ｍの直前を走行する周辺車両を前走車両ｍＡ、車線変更ターゲット位置ＴＡの直前を走行する周辺車両を前方基準車両ｍＢ、車線変更ターゲット位置ＴＡの直後を走行する周辺車両を後方基準車両ｍＣと定義する。自車両Ｍは、車線変更ターゲット位置ＴＡの側方まで移動するために加減速を行う必要があるが、この際に前走車両ｍＡに追いついてしまうことを回避しなければならない。このため、軌道候補生成部１４６Ｂは、３台の周辺車両の将来の状態を予測し、各周辺車両と干渉しないように目標速度を決定する。
【００６９】
図１０は、３台の周辺車両の速度を一定と仮定した場合の速度生成モデルを示す図である。図中、ｍＡ、ｍＢおよびｍＣから延出する直線は、それぞれの周辺車両が定速走行したと仮定した場合の進行方向における変位を示している。自車両Ｍは、車線変更が完了するポイントＣＰにおいて、前方基準車両ｍＢと後方基準車両ｍＣとの間にあり、且つ、それ以前において前走車両ｍＡよりも後ろにいなければならない。このような制約の下、軌道候補生成部１４６Ｂは、車線変更が完了するまでの目標速度の時系列パターンを、複数導出する。そして、目標速度の時系列パターンをスプライン曲線等のモデルに適用することで、図８に示すような軌道の候補を複数導出する。なお、３台の周辺車両の運動パターンは、図１０に示すような定速度に限らず、定加速度、定ジャーク（躍度）を前提として予測されてもよい。
【００７０】
評価・選択部１４６Ｃは、軌道候補生成部１４６Ｂにより生成された軌道の候補に対して、例えば、計画性と安全性の二つの観点で評価を行い、走行制御部１６０に出力する軌道を選択する。計画性の観点からは、例えば、既に生成されたプラン（例えば行動計画）に対する追従性が高く、軌道の全長が短い場合に軌道が高く評価される。例えば、右方向に車線変更することが望まれる場合に、一旦左方向に車線変更して戻るといった軌道は、低い評価となる。安全性の観点からは、例えば、それぞれの軌道点において、自車両Ｍと物体（周辺車両等）との距離が遠く、加減速度や操舵角の変化量などが小さいほど高く評価される。
【００７１】
切替制御部１５０は、自動運転切替スイッチ８７から入力される信号に基づいて自動運転モードと手動運転モードとを相互に切り替える。また、切替制御部１５０は、ＨＭＩ７０における運転操作系の構成に対する加速、減速または操舵を指示する操作に基づいて、自動運転モードから手動運転モードに切り替える。例えば、切替制御部１５０は、ＨＭＩ７０における運転操作系の構成から入力された信号の示す操作量が閾値を超えた状態が、基準時間以上継続した場合に、自動運転モードから手動運転モードに切り替える（オーバーライド）。また、切替制御部１５０は、オーバーライドによる手動運転モードへの切り替えの後、所定時間の間、ＨＭＩ７０における運転操作系の構成に対する操作が検出されなかった場合に、自動運転モードに復帰させてもよい。
【００７２】
走行制御部１６０は、軌道生成部１４６によって生成された軌道を、予定の時刻通りに自車両Ｍが通過するように、走行駆動力出力装置２００、ステアリング装置２１０、およびブレーキ装置２２０を制御する。
【００７３】
ＨＭＩ制御部１７０は、自動運転制御部１２０により自動運転のモードの情報が通知されると、モード別操作可否情報１８８を参照して、自動運転のモードの種別に応じてＨＭＩ７０を制御する。また、ＨＭＩ制御部１７０は、自動運転モード制御部１３０から入力された自動運転モードに応じて、表示装置８２における各種コンテンツの再生を制御する再生制御部１７２を備える。
【００７４】
図１１は、モード別操作可否情報１８８の一例を示す図である。図１１に示すモード別操作可否情報１８８は、運転モードの項目として「手動運転モード」、「自動運転モード」とを有する。また、「自動運転モード」として、上述した「モードＡ」、「モードＢ」、および「モードＣ」等を有する。また、モード別操作可否情報１８８は、非運転操作系の項目として、ナビゲーション装置５０に対する操作である「ナビゲーション操作」、コンテンツ再生装置８５に対する操作である「コンテンツ再生操作」、表示装置８２に対する操作である「インストルメントパネル操作」等を有する。さらに、モード別操作可否情報１８８は、例えば表示装置８２における、コンテンツ再生の可否を示す「コンテンツ再生維持」等を有する。図１１に示すモード別操作可否情報１８８の例では、上述した運転モードごとに非運転操作系に対する車両乗員の操作の可否が設定されているが、対象のインターフェース装置は、これに限定されるものではない。
【００７５】
ＨＭＩ制御部１７０は、自動運転制御部１２０から取得したモードの情報に基づいてモード別操作可否情報１８８を参照することで、使用が許可される装置（ナビゲーション装置５０およびＨＭＩ７０の一部または全部）と、使用が許可されない装置とを判定する。また、ＨＭＩ制御部１７０は、判定結果に基づいて、非運転操作系のＨＭＩ７０、またはナビゲーション装置５０に対する車両乗員からの操作の受け付けの可否を制御する。
【００７６】
例えば、車両制御システム１００が実行する運転モードが手動運転モードの場合、車両乗員は、ＨＭＩ７０の運転操作系（例えば、アクセルペダル７１、ブレーキペダル７４、シフトレバー７６、およびステアリングホイール７８等）を操作する。また、車両制御システム１００が実行する運転モードが自動運転モードのモードＢ、モードＣ等である場合、車両乗員には、自車両Ｍの周辺監視義務が生じる。このような場合、車両乗員の運転以外の行動（例えばＨＭＩ７０の操作等）により注意が散漫になること（ドライバーディストラクション）を防止するため、ＨＭＩ制御部１７０は、ＨＭＩ７０の非運転操作系の一部または全部に対する操作を受け付けないように制御を行う。このような制御が行われた状態を「ディストラクション制限状態」と言う。この際、ＨＭＩ制御部１７０は、自車両Ｍの周辺監視を行わせるために、外界認識部１４２により認識された自車両Ｍの周辺車両の存在やその周辺車両の状態を、表示装置８２に画像などで表示させると共に、自車両Ｍの走行時の場面に応じた確認操作をＨＭＩ７０に受け付けさせてよい。
【００７７】
また、ＨＭＩ制御部１７０は、運転モードが自動運転のモードＡである場合、ドライバーディストラクションの規制を緩和し、操作を受け付けていなかった非運転操作系に対する車両乗員の操作を受け付ける制御を行う。例えば、ＨＭＩ制御部１７０は、表示装置８２に映像を表示させたり、スピーカ８３に音声を出力させたり、コンテンツ再生装置８５にＤＶＤなどからコンテンツを再生させたりする。なお、コンテンツ再生装置８５が再生するコンテンツには、ＤＶＤなどに格納されたコンテンツの他、例えば、テレビ番組等の娯楽、エンターテイメントに関する各種コンテンツが含まれてよい。また、図１１に示す「コンテンツ再生操作」は、このような娯楽、エンターテイメントに関するコンテンツ操作を意味するものであってよい。
【００７８】
［コンテンツ表示制御］
本実施形態における車両制御システム１００は、自動運転を実行する車両の状態に基づいて、表示装置におけるコンテンツの再生を制御する機能を備えている。例えば、本実施形態における車両制御システム１００は、コンテンツ再生を開始した後、コンテンツ再生が許可されない自動運転モードに移行した場合には、コンテンツの再生を停止し、その後、コンテンツの再生が許可される自動運転モードに移行した場合（コンテンツ再生の制限が解除された場合）には、コンテンツの再生を自動的に再開する機能を備えている。
【００７９】
以下において、本実施形態において車両乗員の操作に基づくコンテンツを表示装置８２に再生する動作について説明する。図１２は、本実施形態における、コンテンツの再生制御処理の一例を示すフローチャートである。図１３は、本実施形態における表示装置８２の画面制御の一例を示す図である。
【００８０】
まず、コンテンツ再生操作が許可されている状態（例えば、自車両Ｍが停止している状態、或いはコンテンツ再生操作が許可されている自動運転モードの車両状態）において、再生制御部１７２は、車両乗員によるコンテンツ再生装置８５の操作を受け付けて、車両乗員の操作に応じた所望のコンテンツを表示装置８２の画面Ｉ１に再生させる（ステップＳ１０１）。例えば、再生制御部１７２は、車両乗員によるＤＶＤ再生装置或いはテレビジョン受信機であるコンテンツ再生装置８５の操作を受け付けて、受け付けた操作に対応する映像コンテンツ等を表示装置８２に再生させる。コンテンツ再生操作が許可されている自動運転モードとは、例えば、図１１のモード別操作可否情報１８８における自動運転モード（モードＡ）である。これにより、図１３の“状態１：コンテンツ再生非制限状態”に示すように、車両乗員の操作に基づくコンテンツが表示装置８２の画面Ｉ１に再生される。
【００８１】
次に、再生制御部１７２は、自動運転モード制御部１３０から入力されたモード情報と、記憶部１８０に記憶されたモード別操作可否情報１８８とを参照し、自車両Ｍが、コンテンツ再生制限状態に移行したか否かを判定する（ステップＳ１０３）。例えば、自動運転モード制御部１３０から入力されたモード情報が、図１１に示すモード別操作可否情報１８８におけるコンテンツ再生が許可されない自動運転モード（モードＢまたはＣ）である場合、再生制御部１７２は、コンテンツ再生制限状態に移行したと判定する。一方、自動運転モード制御部１３０から入力されたモード情報が、図１１に示すモード別操作可否情報１８８におけるコンテンツ再生が許可される自動運転モード（モードＡ）である場合、再生制御部１７２は、コンテンツ再生制限状態に移行していないと判定し、自動運転モードの監視を継続する。
【００８２】
次に、コンテンツ再生制限状態に移行したと判定した場合、再生制御部１７２は、表示装置８２におけるコンテンツの再生を停止する（ステップＳ１０５）。これにより、図１３の“状態２：コンテンツ再生制限状態”に示すように、コンテンツの停止画面（静止画面）が画面Ｉ１に表示される。なお、この停止画面を表示している間、コンテンツの音声のみを再生するようにしてもよい。
【００８３】
次に、再生制御部１７２は、自動運転モード制御部１３０から入力されたモード情報と、記憶部１８０に記憶されたモード別操作可否情報１８８とを参照し、自車両Ｍが、コンテンツ再生非制限状態に移行したか否かを判定する（ステップＳ１０７）。例えば、自動運転モード制御部１３０から入力されたモード情報が、図１１に示すモード別操作可否情報１８８におけるコンテンツ再生が許可される自動運転モード（モードＡ）である場合、再生制御部１７２は、コンテンツ再生非制限状態に移行したと判定する。一方、自動運転モード制御部１３０から入力されたモード情報が、図１１に示すモード別操作可否情報１８８におけるコンテンツ再生が許可されない自動運転モード（モードＢまたはＣ）である場合、再生制御部１７２は、コンテンツ再生非制限状態に移行していないと判定し、自動運転モードの監視を継続する。
【００８４】
次に、コンテンツ再生非制限状態に移行したと判定した場合、再生制御部１７２は、表示装置８２におけるコンテンツの再生を再開し、本フローチャートの処理を終了する（ステップＳ１０９）。これにより、図１３の“状態３：コンテンツ再生非制限状態”に示すように、コンテンツが自動的に画面Ｉ１に再生される。ここで、上記コンテンツが、ＤＶＤに記憶された映像コンテンツである場合、上記のステップＳ１０５におけるコンテンツの停止箇所から再生を再開してよい。
【００８５】
以上の本実施形態によれば、自車両Ｍの自動運転モードが、コンテンツ再生制限状態からコンテンツ再生非制限状態に移行した場合、コンテンツの再生が自動的に再開されるため、車両乗員はコンテンツの再生を再開させる際にコンテンツ再生装置を操作する必要がない。これにより、自動運転を実行する場合における安全性を確保しつつコンテンツ再生装置の利便性を向上させることができる。
【００８６】
＜第２の実施形態＞
以下、第２の実施形態について説明する。第２の実施形態に係る車両制御システムは、上述した第１の実施形態において説明した車両制御システム１００の構成と同様の構成を用いることができる。そのため、以下の説明において、上記の第１の実施形態と同様の部分には同じ参照番号を付与し、その説明を省略或いは簡略化する。
【００８７】
第２の実施形態は、上述した第１の実施形態と比較すると、テレビジョン映像等のブロードキャストにより配信されるコンテンツを表示装置８２に再生する場合に、コンテンツの再生の停止期間において再生されるべきコンテンツを記憶部１８０に記憶させ、コンテンツの再生を再開する際には、記憶部１８０に記憶されたコンテンツを読み出して再生する点が異なる。ここで、ブロードキャストにより配信されるコンテンツとは、同時に複数の機器に対して、同一のキャリア（電波）を用いて配信されるコンテンツであり、利用者の要求に応じて配信を行うオンデマンド方式で配信されるコンテンツとは区別されるものである。
【００８８】
以下において、本実施形態において車両乗員の操作に基づくコンテンツを表示装置８２に再生する動作について説明する。図１４は、本実施形態における、コンテンツの再生制御処理の一例を示すフローチャートである。図１５は、本実施形態における表示装置８２の画面制御の一例を示す図である。
【００８９】
まず、コンテンツ再生操作が許可されている状態（例えば、自車両Ｍが停止している状態、或いはコンテンツ再生操作が許可されている自動運転モードの車両状態）において、再生制御部１７２は、車両乗員によるコンテンツ再生装置８５の操作を受け付けて、車両乗員の操作に応じた所望のコンテンツを表示装置８２の画面Ｉ１に再生させる（ステップＳ２０１）。例えば、再生制御部１７２は、車両乗員によるテレビジョン受信機であるコンテンツ再生装置８５の操作を受け付けて、テレビジョン映像等を表示装置８２に再生させる。これにより、図１５の“状態１１：コンテンツ再生非制限状態”に示すように、コンテンツが表示装置８２の画面Ｉ１に再生される。
【００９０】
次に、再生制御部１７２は、自動運転モード制御部１３０から入力されたモード情報と、記憶部１８０に記憶されたモード別操作可否情報１８８とを参照し、自車両Ｍが、コンテンツ再生制限状態に移行したか否かを判定する（ステップＳ２０３）。例えば、自動運転モード制御部１３０から入力されたモード情報が、図１１に示すモード別操作可否情報１８８におけるコンテンツ再生が許可されない自動運転モード（モードＢまたはＣ）である場合、再生制御部１７２は、コンテンツ再生制限状態に移行したと判定する。一方、自動運転モード制御部１３０から入力されたモード情報が、図１１に示すモード別操作可否情報１８８におけるコンテンツ再生が許可される自動運転モード（モードＡ）である場合、再生制御部１７２は、コンテンツ再生制限状態に移行していないと判定し、自動運転モードの監視を継続する。
【００９１】
次に、コンテンツ再生制限状態に移行したと判定した場合、再生制御部１７２は、表示装置８２におけるコンテンツの再生を停止するとともに、停止期間中において再生されるべきコンテンツ（例えば、停止期間中にテレビジョン受信機が受信したコンテンツ）の記憶を開始する（ステップＳ２０５）。この停止期間中において再生されるべきコンテンツは、コンテンツ情報１８９として記憶部１８０に記憶される。これにより、図１５の“状態１２：コンテンツ再生制限状態”に示すように、コンテンツの停止画面（静止画面）が画面Ｉ１に表示される。
【００９２】
次に、再生制御部１７２は、自動運転モード制御部１３０から入力されたモード情報と、記憶部１８０に記憶されたモード別操作可否情報１８８とを参照し、自車両Ｍが、コンテンツ再生非制限状態に移行したか否かを判定する（ステップＳ２０７）。例えば、再生制御部１７２は、自動運転モード制御部１３０から入力されたモード情報が、図１１に示すモード別操作可否情報１８８におけるコンテンツ再生が許可される自動運転モード（モードＡ）である場合、コンテンツ再生非制限状態に移行したと判定する。一方、再生制御部１７２は、自動運転モード制御部１３０から入力されたモード情報が、図１１に示すモード別操作可否情報１８８におけるコンテンツ再生が許可されない自動運転モード（モードＢまたはＣ）である場合、コンテンツ再生非制限状態に移行していないと判定し、自動運転モードの監視を継続する。
【００９３】
次に、コンテンツ再生非制限状態に移行したと判定した場合、再生制御部１７２は、表示装置８２におけるコンテンツの再生を再開する（ステップＳ２０９）。ここで、再生制御部１７２は、記憶部１８０に記憶されたコンテンツを読み出し、上記のステップＳ２０５におけるコンテンツの停止箇所から再生を再開する。また、再生制御部１７２は、このコンテンツの再生と並行して、コンテンツ再生の再開後に再生されるべきコンテンツ（例えば、再生開始後にテレビジョン受信機が受信したコンテンツ）を記憶部１８０に記憶させる。以後、再生制御部１７２は、記憶部１８０に記憶された停止期間中において再生されるべきコンテンツの再生を完了した後、コンテンツ再生の再開後に再生されるべきコンテンツを記憶部１８０から読み出して再生する。すなわち、再生制御部１７２は、コンテンツの記憶部１８０への記憶と、過去に記憶部１８０に記憶されたコンテンツの読み出しおよび再生とを継続的に並行して行う。
【００９４】
図１６は、上記のようなコンテンツの記憶、読み出し、および再生を行う場合における、ブロードキャストにより配信されるコンテンツと、表示装置８２において再生されるコンテンツとの関係を示す図である。上記のステップＳ２０１においてコンテンツが表示装置８２で再生される間、ブロードキャストにより配信されるコンテンツは記憶部１８０に記憶されることなくリアルタイムで表示装置８２で再生される。その後、ステップＳ２０５（時刻ｔ１）においてコンテンツの再生が停止され、ステップＳ２０９（時刻ｔ２）においてコンテンツの再生が再開された場合、時刻ｔ２では、時刻ｔ１において配信されたコンテンツが記憶部１８０から読み出されて表示装置８２で再生される。以後、停止期間中（ｔ１からｔ２）において配信されたコンテンツが記憶部１８０から読み出されて再生され、続いて、コンテンツの再生再開後（ｔ２以降）において配信されたコンテンツが記憶部１８０から読み出されて再生される。なお、時刻ｔ２においてコンテンツの再生が再開された後、車両乗員は、コンテンツ再生装置８２等を操作することで、上記のようなコンテンツの記憶、読み出し、および再生の制御を中止し、配信されるコンテンツのリアルタイムでの再生に切り替えることも可能である。
【００９５】
以上の本実施形態によれば、自車両Ｍの自動運転モードが、コンテンツ再生制限状態からコンテンツ再生非制限状態に移行した場合、コンテンツの再生が自動的に再開されるため、車両乗員はコンテンツの再生を再開させる際にコンテンツ再生装置を操作する必要がない。また、再生制御部１７２は、記憶部１８０に記憶された停止期間中において再生されるべきコンテンツ（例えば、停止期間中にテレビジョン受信機が受信したコンテンツ）を読み出して再生するため、車両乗員は、停止期間中において再生されるべきコンテンツを後に視聴することができる。これにより、自動運転を実行する場合における安全性を確保しつつコンテンツ再生装置の利便性を向上させることができる。
【００９６】
＜第３の実施形態＞
以下、第３の実施形態について説明する。第３の実施形態に係る車両制御システムは、上述した第１の実施形態において説明した車両制御システム１００の構成と同様の構成を用いることができる。そのため、以下の説明において、上記の第１の実施形態と同様の部分には同じ参照番号を付与し、その説明を省略或いは簡略化する。
【００９７】
第３の実施形態は、上述した第１の実施形態と比較すると、コンテンツの再生を停止することを車両乗員に予め通知し、車両乗員がコンテンツの再生の停止を希望しない（すなわち、コンテンツの再生継続を希望する）場合には、コンテンツ再生が許可される自動運転モードを維持するように自動運転の制御を行う点が異なる。
【００９８】
以下において、本実施形態において車両乗員の操作に基づくコンテンツを表示装置８２に再生する動作について説明する。図１７は、本実施形態における、コンテンツの再生制御処理の一例を示すフローチャートである。図１８は、本実施形態における表示装置８２の画面制御の一例を示す図である。
【００９９】
まず、コンテンツ再生操作が許可されている状態（例えば、自車両Ｍが停止している状態、或いはコンテンツ再生操作が許可されている自動運転モードの車両状態）において、再生制御部１７２は、車両乗員によるコンテンツ再生装置８５の操作を受け付けて、車両乗員の操作に応じた所望のコンテンツを表示装置８２の画面Ｉ１に再生させる（ステップＳ３０１）。これにより、図１８の“状態２１：コンテンツ再生非制限状態”に示すように、車両乗員の操作に基づくコンテンツが表示装置８２の画面Ｉ１に再生される。
【０１００】
次に、再生制御部１７２は、行動計画生成部１４４から入力された行動計画等に基づいて、表示装置８２の画面Ｉ１に再生制限予告画面Ｐ１を表示する（ステップＳ３０３）。この再生制限予告画面Ｐ１は、図１８の“状態２２：コンテンツ再生非制限状態”に示すような、コンテンツの停止を予告する画面である。例えば、再生制御部１７２は、行動計画を参照し、ＸＸ秒後にコンテンツ再生が許可されない自動運転モード（モードＢまたはＣ）に移行すると判定した場合には、「ＸＸ秒後に再生を停止します。」等の停止予告を表示装置８２に表示させて車両乗員に通知する。
【０１０１】
再生制限予告画面Ｐ１は、車両乗員からのコンテンツの再生継続の指示を受け付けることができる。例えば、表示装置８２がタッチパネルである場合、車両乗員が、表示装置８２の再生制限予告画面Ｐ１における「再生継続」と表示された接触領域Ｃ１（操作受付部）に接触することで、再生継続の指示を受け付けることができる。なお、自動運転モード制御部１３０から再生制限予告に移行する旨の信号を受け取った場合に、再生制御部１７２は、表示装置８２の画面Ｉ１に再生制限予告画面Ｐ１を表示するようにしてもよい。また、再生制御部１７２は、行動計画に代えて或いは加えて、外界認識部１４２から入力される自車両Ｍの周辺の情報等に基づいて、表示装置８２の画面Ｉ１に再生制限予告画面Ｐ１を表示するようにしてもよい。
【０１０２】
次に、再生制御部１７２は、車両乗員から再生継続の指示を受け付けたか否かを判定する（ステップＳ３０５）。例えば、再生制御部１７２は、車両乗員が、表示装置８２の再生制限予告画面Ｐ１における「再生継続」と表示された接触領域Ｃ１（操作受付部）を接触したか否かを判定する。
【０１０３】
車両乗員から再生継続の指示を受け付けたと判定した場合、再生制御部１７２は、コンテンツ再生が許可される自動運転モードを維持する旨を示す信号を自動運転モード制御部１３０に送信する。このコンテンツ再生が許可される自動運転モードを維持する旨を示す信号を受信した自動運転モード制御部１３０は、コンテンツ再生が許可される自動運転モード（例えば、モードＡ）が維持されるように自動運転の制御を行う（ステップＳ３０７）。例えば、自動運転モード制御部１３０は、コンテンツ再生制限状態の自動運転モードに移行する前に、行動計画に含まれるイベントを変更することで（例えば、「車線変更イベント」を「レーンキープイベント」に変更するなど）、コンテンツ再生が許可される自動運転モードを維持する。また、自動運転モード制御部１３０は、行動計画に含まれるイベントは変更せずに、イベント内での走行態様を変更することで（例えば、「中速走行」を「低速走行」に変更するなど）、コンテンツ再生が許可される自動運転モードを維持してもよい。また、自動運転モード制御部１３０は、ナビゲーション装置５０により導出された経路を変更することで（例えば、自車両Ｍをパーキングエリアに停止させるなど）、コンテンツ再生を維持してもよい。自車両Ｍをパーキングエリアに停止させた場合、車両乗員は、行動計画を変更してコンテンツ再生が許可される自動運転モードが維持できる経路を選択することもできる。これにより、表示装置８２におけるコンテンツの再生が継続される（ステップＳ３０９）。
【０１０４】
一方、車両乗員から再生継続の指示を受け付けなかったと判定した場合（再生継続の指示を受け付けることなく、コンテンツ再生制限状態の自動運転モードに移行する時刻に到達した場合）、再生制御部１７２は、表示装置８２におけるコンテンツ再生を停止する（ステップＳ３１１）。ここで、上記の第２実施形態に説明したように、ブロードキャストにより配信されるコンテンツを再生している場合には、停止期間において再生されるべきコンテンツを記憶部１８０に記憶させてもよい。
【０１０５】
次に、再生制御部１７２は、自動運転モード制御部１３０から入力されたモード情報と、記憶部１８０に記憶されたモード別操作可否情報１８８とを参照し、自車両Ｍが、コンテンツ再生非制限状態に移行したか否かを判定する（ステップＳ３１３）。コンテンツ再生非制限状態に移行していないと判定した場合、再生制御部１７２は、自動運転モードの監視を継続する。
【０１０６】
一方、コンテンツ再生非制限状態に移行したと判定した場合、再生制御部１７２は、表示装置８２におけるコンテンツ再生を再開し、本フローチャートの処理を終了する（ステップＳ３１５）。ここで、上記コンテンツが、ＤＶＤに記憶された映像コンテンツである場合、上記のステップＳ３１１におけるコンテンツの停止箇所から再生を再開してよい。また、上記の第２実施形態に説明したように、ブロードキャストにより配信されるコンテンツの再生を再開する場合には、記憶部１８０に記憶されたコンテンツを読み出して再生してもよい。
【０１０７】
以上の本実施形態によれば、コンテンツの再生を停止することを車両乗員に予め通知し、車両乗員がコンテンツの再生の継続を希望する場合には、コンテンツ再生が許可される自動運転モードを維持するように自動運転の制御を行うことで、車両乗員は、コンテンツの視聴を継続することができる。これにより、自動運転を実行する場合における安全性を確保しつつコンテンツ再生装置の利便性を向上させることができる。
【０１０８】
なお、車両の運転席に着座した車両乗員以外の他の車両乗員（同乗者）がいる場合には、上記のコンテンツの再生の制御を行わないようにしてもよい。この場合、同乗者がいるか否かの判定（車両に搭乗した乗員の検出）は、車室内カメラ（検出部）９５により撮像された車内画像に基づいて行われてよい。または、同乗者がいるか否かの判定は、シート８８に配置されたシートウエイトセンサー（検出部）が乗員の着座の有無を認識することにより判定されてよい。
【０１０９】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【０１１０】
２０…ファインダ、３０…レーダ、４０…カメラ、ＤＤ…検知デバイス、５０…ナビゲーション装置、６０…車両センサ、７０…ＨＭＩ、１００…車両制御システム、１１０…目標車線決定部、１２０…自動運転制御部、１３０…自動運転モード制御部、１４０…自車位置認識部、１４２…外界認識部、１４４…行動計画生成部、１４６…軌道生成部、１４６Ａ…走行態様決定部、１４６Ｂ…軌道候補生成部、１４６Ｃ…評価・選択部、１５０…切替制御部、１６０…走行制御部、１７０…ＨＭＩ制御部、１７２…再生制御部、１８０…記憶部、２００…走行駆動力出力装置、２１０…ステアリング装置、２２０…ブレーキ装置、Ｍ…自車両
【図１】
2017214035.tif 000003
【図２】
2017214035.tif 000004
【図３】
2017214035.tif 000005
【図４】
2017214035.tif 000006
【図５】
2017214035.tif 000007
【図６】
2017214035.tif 000008
【図７】
2017214035.tif 000009
【図８】
2017214035.tif 000010
【図９】
2017214035.tif 000011
【図１０】
2017214035.tif 000012
【図１１】
2017214035.tif 000013
【図１２】
2017214035.tif 000014
【図１３】
2017214035.tif 000015
【図１４】
2017214035.tif 000016
【図１５】
2017214035.tif 000017
【図１６】
2017214035.tif 000018
【図１７】
2017214035.tif 000019
【図１８】
2017214035.tif 000020
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
車両の乗員の操作に基づくコンテンツを再生するコンテンツ再生部と、
前記車両の速度制御と操舵制御とのうち少なくとも一方を自動的に行う自動運転制御部と、
前記自動運転制御部により実行される自動運転には少なくとも第１の状態と第２の状態が存在し、前記コンテンツの再生が制限される第１の状態では、前記コンテンツ再生部における前記コンテンツの再生を停止し、前記コンテンツの再生の制限が解除される第２の状態では、前記コンテンツ再生部における前記コンテンツの再生を許可する、再生制御部と
を備える車両制御システム。
【請求項２】
前記再生制御部は、
前記第１の状態において前記コンテンツ再生部における前記コンテンツの再生を停止し、その後、前記第２の状態において前記コンテンツ再生部における前記コンテンツの再生を再開する場合、前記コンテンツの停止箇所から再生させる、
請求項１に記載の車両制御システム。
【請求項３】
前記コンテンツは、映像コンテンツを含む、
請求項１または２に記載の車両制御システム。
【請求項４】
前記コンテンツを記憶する記憶部をさらに備え、
前記再生制御部は、前記第１の状態において前記コンテンツ再生部における前記コンテンツの再生を停止する場合、停止期間において再生されるべきコンテンツを前記記憶部に記憶させ、その後、前記第２の状態において前記コンテンツ再生部における前記コンテンツの再生を再開する場合、前記記憶部に記憶された前記コンテンツを読み出して再生させる、
請求項１から３の何れか一項に記載の車両制御システム。
【請求項５】
前記再生制御部は、前記第１の状態において前記コンテンツ再生部における前記コンテンツの再生を停止し、その後、前記第２の状態において前記コンテンツ再生部における前記コンテンツの再生を再開した後、前記コンテンツの前記記憶部への記憶と、過去に前記記憶部に記憶された前記コンテンツの読み出しおよび再生とを並行して行う、請求項４に記載の車両制御システム。
【請求項６】
前記コンテンツは、ブロードキャストにより配信されるコンテンツである、請求項４または５に記載の車両制御システム。
【請求項７】
前記コンテンツ再生部における前記コンテンツの再生を継続する指示を受け付ける操作受付部をさらに備え、
前記自動運転制御部は、自動運転の度合が異なる複数の運転モードのいずれかを実施し、前記操作受付部が前記コンテンツの再生を継続する指示を受け付けた場合、前記コンテンツの再生を制限しない運転モードを維持させる、
請求項１から６のいずれか一項に記載の車両制御システム。
【請求項８】
前記車両に搭乗した乗員を検出する検出部をさらに備え、
前記再生制御部は、前記検出部が前記車両の運転席に着座した乗員以外の他の乗員を検出した場合、前記コンテンツ再生部における前記コンテンツの再生の停止を行わない、
請求項１から７のいずれか一項に記載の車両制御システム。
【請求項９】
車両の速度制御と操舵制御とのうち少なくとも一方を自動的に行う自動運転を実行し、  実行される前記自動運転には少なくとも第１の状態と第２の状態が存在し、前記車両の乗員の操作に基づくコンテンツの再生が制限される第１の状態では、前記コンテンツの再生を停止し、前記コンテンツの再生の制限が解除される第２の状態では、前記コンテンツの再生を許可する
車両制御方法。
【請求項１０】
車載コンピュータに、
車両の速度制御と操舵制御とのうち少なくとも一方を自動的に行う自動運転を実行し、
実行される前記自動運転には少なくとも第１の状態と第２の状態が存在し、前記車両の乗員の操作に基づくコンテンツの再生が制限される第１の状態では、前記コンテンツの再生を停止し、前記コンテンツの再生の制限が解除される第２の状態では、前記コンテンツの再生を許可する処理を実行させる
車両制御プログラム。
【手続補正２】
【補正対象書類名】明細書
【補正対象項目名】０００６
【補正方法】変更
【補正の内容】
【０００６】
請求項１に記載の発明は、車両の乗員の操作に基づくコンテンツを再生するコンテンツ再生部と、前記車両の速度制御と操舵制御とのうち少なくとも一方を自動的に行う自動運転制御部と、前記自動運転制御部により実行される自動運転には少なくとも第１の状態と第２の状態が存在し、前記コンテンツの再生が制限される第１の状態では、前記コンテンツ再生部における前記コンテンツの再生を停止し、前記コンテンツの再生の制限が解除される第２の状態では、前記コンテンツ再生部における前記コンテンツの再生を許可する、再生制御部とを備える車両制御システムである。
【手続補正３】
【補正対象書類名】明細書
【補正対象項目名】０００７
【補正方法】変更
【補正の内容】
【０００７】
請求項２に記載の発明は、請求項１に記載の発明において、前記再生制御部は、前記第１の状態において前記コンテンツ再生部における前記コンテンツの再生を停止し、その後、前記第２の状態において前記自動運転の状態に基づいて前記コンテンツ再生部における前記コンテンツの再生を再開する場合、前記コンテンツの停止箇所から再生させるものである。
【手続補正４】
【補正対象書類名】明細書
【補正対象項目名】０００９
【補正方法】変更
【補正の内容】
【０００９】
請求項４に記載の発明は、請求項１から３の何れか一項に記載の発明において、前記コンテンツを記憶する記憶部をさらに備え、前記再生制御部は、前記第１の状態において前記コンテンツ再生部における前記コンテンツの再生を停止する場合、停止期間において再生されるべきコンテンツを前記記憶部に記憶させ、その後、前記第２の状態において前記コンテンツ再生部における前記コンテンツの再生を再開する場合、前記記憶部に記憶された前記コンテンツを読み出して再生させるものである。
【手続補正５】
【補正対象書類名】明細書
【補正対象項目名】００１０
【補正方法】変更
【補正の内容】
【００１０】
請求項５に記載の発明は、請求項４に記載の発明において、前記再生制御部は、前記第１の状態において前記コンテンツ再生部における前記コンテンツの再生を停止し、その後、前記第２の状態において前記コンテンツ再生部における前記コンテンツの再生を再開した後、前記コンテンツの前記記憶部への記憶と、過去に前記記憶部に記憶された前記コンテンツの読み出しおよび再生とを並行して行うものである。
【手続補正６】
【補正対象書類名】明細書
【補正対象項目名】００１４
【補正方法】変更
【補正の内容】
【００１４】
請求項９に記載の発明は、車両の速度制御と操舵制御とのうち少なくとも一方を自動的に行う自動運転を実行し、実行される前記自動運転には少なくとも第１の状態と第２の状態が存在し、前記車両の乗員の操作に基づくコンテンツの再生が制限される第１の状態では、前記コンテンツの再生を停止し、前記コンテンツの再生の制限が解除される第２の状態では、前記コンテンツの再生を許可する車両制御方法である。
【手続補正７】
【補正対象書類名】明細書
【補正対象項目名】００１５
【補正方法】変更
【補正の内容】
【００１５】
請求項１０に記載の発明は、車載コンピュータに、車両の速度制御と操舵制御とのうち少なくとも一方を自動的に行う自動運転を実行し、実行される前記自動運転には少なくとも第１の状態と第２の状態が存在し、前記車両の乗員の操作に基づくコンテンツの再生が制限される第１の状態では、前記コンテンツの再生を停止し、前記コンテンツの再生の制限が解除される第２の状態では、前記コンテンツの再生を許可する処理を実行させる車両制御プログラムである。